(57)【要約】【課題】内槽内の衣類に乾燥用空気が十分に当たるようにして乾燥効果を高める。【解決手段】水槽２の上部に設けた乾燥用空気の排気口７および吹出口６と、前記排気口と前記吹出口を接続した循環風路８と、回転ドラム３内の乾燥用空気を前記循環風路を通して循環させる送風機９と、前記吹出口からの乾燥用空気を前記回転ドラム内に送風する吹出穴１２を有するバックフィルタ１３と、前記循環風路を流れる乾燥用空気を除湿する除湿手段１０とを備え、前記吹出穴は、前記バックフィルタに環状に複数形成し、前記吹出穴が前記吹出口と対向する上方位置を通過するときに、乾燥用空気を前記回転ドラム内の下方に向けて送風するようにしたものである。【選択図】図１
2010187962.tif 000002
【特許請求の範囲】
【請求項１】
筐体と、洗濯物を収容する回転ドラムと、前記回転ドラムを内包し前記筐体内に弾性支持した水槽と、前記回転ドラムを回転駆動するドラム駆動モータと、前記水槽の前方上部に設けた乾燥用空気の排気口と、前記水槽の底面上部に設けた乾燥用空気の吹出口と、前記排気口に一端を接続し他端を前記吹出口に接続した循環風路と、前記回転ドラム内の乾燥用空気を前記循環風路を通して前記回転ドラム内に循環させる送風機と、前記回転ドラム内の底面に配設され前記吹出口からの乾燥用空気を前記回転ドラム内に送風する吹出穴を有するバックフィルタと、前記循環風路を流れる乾燥用空気を除湿する除湿手段と、前記除湿手段で除湿された空気を加熱する加熱手段とを備え、前記吹出穴は、前記回転ドラムの回転軸と対向する位置を略中心として前記バックフィルタに環状に複数形成し、前記吹出穴が前記吹出口と対向する上方位置にあるときに乾燥用空気を前記回転ドラム内の下方に向けて送風するようにした洗濯乾燥機。
【請求項２】
バックフィルタは、吹出穴を通過する乾燥用空気の流入側と流出側に入口部と出口部を有し、前記入口部および前記出口部は、前記吹出穴を通過する乾燥用空気の送風方向と同方向に形成した請求項１記載の洗濯乾燥機。
【請求項３】
循環風路は、吹出口に接続する導入部を有し、前記導入部は、前記吹出穴を通過する乾燥用空気の送風方向と同方向に形成した請求項１または２記載の洗濯乾燥機。
【発明の詳細な説明】
【技術分野】
【０００１】
本発明は、衣類の洗濯、乾燥をおこなう洗濯乾燥機に関するものである。
【背景技術】
【０００２】
従来、この種の洗濯乾燥機は、種々の構成が提案されており、図７は従来の構成を示す断面図である。有底筒状の外槽５１の内部に、衣類等の洗濯物、乾燥物を収納する有底筒状の内槽５２が回転自在に配置されている。内槽５２は、回転軸を前上がりにやや斜めに配置されており、底面に取り付けられた駆動手段５３により回転駆動する。内槽５２内に被洗濯乾燥物としての衣類とともに洗剤を投入して運転を開始すると、駆動手段５３により内槽５２が正逆回転を繰り返して、洗濯がおこなわれる。洗濯が終了すると、すすぎ、脱水と進行し、乾燥工程に移る。
【０００３】
乾燥工程では、内槽５２は、正逆回転をゆっくり繰り返しながら回転する。同時に、衣類の水分を含んだ空気が流入口５４から内槽５２の外に設けた循環風路５５に流入し、冷却手段５６で除湿された後、加熱手段５７で加熱されて除湿温風となり、送風手段５８により吐出口５９から再び内槽５２内に流入して、衣類に吹き付けられる風の循環流が形成される。この内槽５２の回転と除湿温風の送風により、衣類の乾燥が進行する。
【０００４】
乾燥用空気が循環する循環風路５５は、外槽５１の外側周囲に配置されており、除湿された温風が内槽５２に吹き出す吐出口５９は、外槽５１の前面に設けた開口部６０を開閉するドア６１と対向するように、内槽５２の底面の上部に位置して、外槽５１に設けられている。吐出口５９と内槽５２との間には、内槽５２とともに回転するフィルタ６２が内槽５２内の底面に取り付けられており、このフィルタ６２に設けた温風通過穴６３を通して吐出口５９から除湿温風が内槽５２内に吹き出すようになっている。
【０００５】
温風通過穴６３は、前面に設けたドア６１に向かって複数個配置され、温風通過穴６３の向きは、有底筒状の内槽５２の周側面と並行で、ドア６１に対して垂直である。また、衣類の水分を含んだ空気が循環風路５５に流入する流入口５４は、内槽５２の前方の上部に設けられて、ドア６１の近くに開口している。したがって、温風通過穴６３を通過して内槽５２内に入った除湿温風は、内槽５２内の側面に沿って略並行にドア６１に向かって流れ、吐出口５９から流入口５４へ内槽５２内の上部を主に略直線的に流れるようになっている（例えば、特許文献１参照）。
【特許文献１】特開２００６−２３０４７１号公報
【発明の開示】
【発明が解決しようとする課題】
【０００６】
しかしながら、前記従来の構成では、吐出口５９および流入口５４は、いずれも内槽５２の上部に開口し、フィルタ６２に設けられた温風通過穴６３は、内槽５２の周側面と並行で、しかもドア６１に対して垂直に穴が開けられているため、温風通過穴６３を通過した除湿温風は、内槽５２内の周側面と略並行にドア６１に向かって流れて、内槽５２内を吐出口５９と流入口５４を結ぶ略直線的に通過し、除湿温風が内槽５２内の下方部分をほとんど通過せずに流入口５４から循環風路５５に流入するため、内槽５２内の洗濯物に除湿温風を十分に当てることができないという問題があった。
【０００７】
吐出口５９と流入口５４を内槽５２の上部に設ける理由は、洗濯時に洗濯水が循環風路５５に流入するのを防止するためであり、この循環風路５５への洗濯水の流入防止と、乾燥時に乾燥用空気を内槽５２内の下方へ流れるようにすることを両立させることが課題で
あった。
【０００８】
本発明は、前記従来の課題を解決するもので、吐出口から吹き出す乾燥用空気が内槽内の下方へ流れ、内槽内で攪拌される洗濯物に乾燥用空気が十分に当たるようにして、衣類の乾燥効果を高めることを目的とする。
【課題を解決するための手段】
【０００９】
前記従来の課題を解決するために、本発明の洗濯乾燥機は、水槽の前方上部に設けた乾燥用空気の排気口と、前記水槽の底面上部に設けた乾燥用空気の吹出口と、前記排気口に一端を接続し他端を前記吹出口に接続した循環風路と、回転ドラム内の乾燥用空気を前記循環風路を通して前記回転ドラム内に循環させる送風機と、前記回転ドラム内の底面に配設され前記吹出口からの乾燥用空気を前記回転ドラム内に送風する吹出穴を有するバックフィルタと、前記循環風路を流れる乾燥用空気を除湿する除湿手段と、前記除湿手段で除湿された空気を加熱する加熱手段とを備え、前記吹出穴は、前記回転ドラムの回転軸と対向する位置を略中心として前記バックフィルタに環状に複数形成し、前記吹出穴が前記吹出口と対向する上方位置にあるときに乾燥用空気を前記回転ドラム内の下方に向けて送風するようにしたものである。
【００１０】
これによって、バックフィルタに環状に複数設けた吹出穴が、回転ドラムの回転によって順に吹出口と対向する上方位置を通過するときに、回転ドラム内の下方に向けて送風されて、回転ドラムの下方部分を多量の乾燥用空気を通過させることができるようになり、回転ドラム内で攪拌されている衣類の広い範囲に除湿温風の乾燥用空気を十分に接触させることができ、衣類の乾燥効果を高めて乾燥に要する時間の短縮と、衣類のシワ固着を低減することができる。
【発明の効果】
【００１１】
本発明の洗濯乾燥機は、衣類の乾燥効果を高めて乾燥に要する時間の短縮と衣類のシワ固着を低減することができる。
【発明を実施するための最良の形態】
【００１２】
第１の発明は、筐体と、洗濯物を収容する回転ドラムと、前記回転ドラムを内包し前記筐体内に弾性支持した水槽と、前記回転ドラムを回転駆動するドラム駆動モータと、前記水槽の前方上部に設けた乾燥用空気の排気口と、前記水槽の底面上部に設けた乾燥用空気の吹出口と、前記排気口に一端を接続し他端を前記吹出口に接続した循環風路と、前記回転ドラム内の乾燥用空気を前記循環風路を通して前記回転ドラム内に循環させる送風機と、前記回転ドラム内の底面に配設され前記吹出口からの乾燥用空気を前記回転ドラム内に送風する吹出穴を有するバックフィルタと、前記循環風路を流れる乾燥用空気を除湿する除湿手段と、前記除湿手段で除湿された空気を加熱する加熱手段とを備え、前記吹出穴は、前記回転ドラムの回転軸と対向する位置を略中心として前記バックフィルタに環状に複数形成し、前記吹出穴が前記吹出口と対向する上方位置にあるときに乾燥用空気を前記回転ドラム内の下方に向けて送風するようにしたことにより、バックフィルタに環状に複数設けた吹出穴が、回転ドラムの回転によって順に吹出口と対向する上方位置を通過するときに、回転ドラム内の下方に向けて送風されて、回転ドラムの下方部分を多量の乾燥用空気を通過させることができるようになり、回転ドラム内で攪拌されて広い範囲にある衣類に除湿温風の乾燥用空気を十分に接触させることができ、衣類の乾燥効果を高めて乾燥に要する時間の短縮と衣類のシワ固着を低減することができる。そして、洗濯時に循環風路への洗濯水の流入防止と、乾燥時に乾燥用空気を内槽内の下方へ流れるようにすることを両立させることできる。
【００１３】
第２の発明は、特に、第１の発明のバックフィルタは、吹出穴を通過する乾燥用空気の
流入側と流出側に入口部と出口部を有し、前記入口部および前記出口部は、前記吹出穴を通過する乾燥用空気の送風方向と同方向に形成したことにより、吹出口から吹き出す乾燥用空気を、吹出穴の流入側と流出側で送風方向を整流することができ、回転ドラムの下方部分への送風効果を高めることができる。
【００１４】
第３の発明は、特に、第１または第２の発明の循環風路は、吹出口に接続する導入部を有し、前記導入部は、前記吹出穴を通過する乾燥用空気の送風方向と同方向に形成したことにより、吹出穴を通過する乾燥用空気の送風方向と同方向へ循環風路から吹出口へ送風することができ、回転ドラムの下方部分への送風効果を高めることができる。
【００１５】
以下、本発明の実施の形態を、図面を参照しながら説明する。なお、本発明の形態によって本発明が限定されるものではない。
【００１６】
（実施の形態１）
図１は、本発明の第１の実施の形態の洗濯乾燥機の要部断面図、図２は、同洗濯乾燥機のバックフィルタの正面図、図３は、同バックフィルタの断面図、図４、図５は、同バックフィルタの要部拡大図である。図１〜図５において、洗濯乾燥機は、筐体１と、筐体１内に弾性支持される有底筒状の水槽２と、水槽２の内部空間に回転自在に設けた洗濯物を収容する有底筒状の回転ドラム３を有している。回転ドラム３は、水槽２の底面４に設けられたドラム駆動モータ５によって回転駆動され、その回転軸５ａは水平方向または前上がりに傾斜している。
【００１７】
水槽２の底面４には、水槽２内から乾燥用空気を吹き出す吹出口６を設け、水槽２の周面前方の上部には、乾燥用空気を排気する排気口７を設けている。これらの吹出口６および排気口７は、水槽２の上部に配設して洗濯水が入らないようにしている。吹出口６と排気口７は、水槽２の外周部に設けた循環風路８によって接続されており、循環風路８内に設けた送風機９によって回転ドラム３内の乾燥用空気を循環風路８を通して回転ドラム３内に循環するように構成している。
【００１８】
循環風路８には、回転ドラム３から流入した湿った空気を除湿する除湿手段１０と、除湿手段１０で除湿した空気を加熱する加熱手段１１を設けている。この除湿手段１０と加熱手段１１は、熱交換器で形成され、圧縮機（図示せず）を備えたヒートポンプ装置によって構成している。回転ドラム３内の底面位置には、乾燥用空気（除湿温風）が通過する複数の吹出穴１２が設けられたバックフィルタ１３が取り付けられている。
【００１９】
このバックフィルタ１３は、回転ドラム３の回転軸５ａを中心として回転ドラム３とともに回転するように着脱自在に取り付けられている。バックフィルタ１３に設けた吹出穴１２は、回転ドラム３の内側周側面に向くようにして円周方向に複数個設けられており、回転ドラム３の回転軸５ａと対向する位置ハを略中心としてバックフィルタ１３に環状に複数個配設している。
【００２０】
回転ドラム３の回転により吹出穴１２が吹出口６と対向する上方位置イにあるときに、乾燥用空気を回転ドラム３内の下方１４に向けて送風されるように傾斜させ、吹出口６から吐出される乾燥用空気が、吹出穴１２を通過して回転ドラム３内の下方１４に向いて噴出するようにしている。
【００２１】
筐体１の前面側には、衣類を回転ドラム３に投入したり取り出したりするための開閉自在な蓋１５が設けられており、洗濯、脱水、乾燥をおこなうときは蓋１５が閉じられ、水槽２の前面側に大きく開かれた開口部１６と柔軟な可撓性のパッキン１７でシールされ、洗濯時の洗濯水や乾燥時の乾燥用空気が漏れないようにしている。
【００２２】
バックフィルタ１３は、蓋１５側から見ると図２のように円盤状であり、回転ドラム３の回転軸５ａとの対向部ハを中心としたＸ−Ｘ線断面形状は、回転ドラム３の内底面から中心部が蓋１５側へ膨らむように湾曲状に形成してあり、対向部ハを中心として回転ドラム３とともに回転する。
【００２３】
吹出穴１２は、円盤状のバックフィルタ１３に、回転ドラム３の回転軸５ａとの対向部ハを中心として環状に配設してあり、バックフィルタ１３の断面を横切るように設けられている。吹出穴１２は、多数の孔を一かたまりとして比較的狭い間隔で複数個設けられている。吹出穴１２を矢印ニ方向へ通過する乾燥用空気の流入側と流出側には、入口部１８と出口部１９が設けてあり、この入口部１８と出口部１９は、吹出穴１２を通過する乾燥用空気の送風方向と同じ方向に窪ませて傾斜させて形成している。
【００２４】
したがって、バックフィルタ１３が回転ドラム３とともに回転することにより、吹出穴１２と入口部１８および出口部１９の向きが位置によって変化し、吹出穴１２が吹出口６と対向する上方位置イにあるときに、乾燥用空気を回転ドラム３内の下方１４に向けて送風するように傾斜する。環状に複数個設けた吹出穴１２は、吹出口６と対向する上方位置イを順に通過し、バックフィルタ１３の回転により吹出口６から吹き出す乾燥用空気は、連続的に回転ドラム３内の下方１４に向けて送風される。
【００２５】
回転ドラム３内の下方１４に向けて送風された乾燥用空気は、回転ドラム３内でその回転によって攪拌されている衣類と接触して水分を奪い排気口７から循環風路８に入り、吹出口６から回転ドラム３内へと循環する。したがって、吹出口６と対向する上方位置イに到る前、および上方位置イを通過した後の他の位置、例えば、下方位置ロでは、図５に示すように吹出穴１２の方向が変化し上方位置イと傾斜が逆方向になるが、乾燥用空気が吹出穴１２から回転ドラム３内への吹き出すことがなく、また、吹出穴１２から回転ドラム３外へ排気されることはない。
【００２６】
次に、洗濯乾燥機の動作を説明する。回転ドラム３に衣類を収納して蓋１５を閉じ、洗剤を投入してスイッチ（図示せず）を操作すると、水が注水され、ドラム駆動モータ５が回転ドラム３を正逆回転または半回転駆動させて、洗濯がおこなわれる。その後、汚れた洗濯水が排水され、新しく注水されて洗剤を洗い流すすすぎをおこなった後、回転ドラム３を高速回転して脱水がおこなわれる。その後、回転ドラム３が回転し衣類を攪拌、転動させながら循環風路８から除湿された温風が回転ドラム３内に送風されて乾燥がおこなわれる。
【００２７】
乾燥においては、衣類からの水分を含んだ空気が、排気口７から循環風路８に流入し、除湿手段１０で水分が除去した後、加熱手段１１で加熱した除湿温風が、送風機９によって吹出口６からバックフィルタ１３の吹出穴１２を通過して回転ドラム３に吐出するという、一連の動作が繰り返される。除湿温風は、回転ドラム３内の下方１４に向けて送風され、この間、回転ドラム３は正転反転を繰り返しており、衣類は、ほぐれて固着シワが低減された状態にて短時間で乾燥される。
【００２８】
ドラム駆動モータ５はモータ、除湿手段１０は空気冷却ファンや水冷式熱交換器、加熱手段１１は電気抵抗ヒータ、送風機９は送風ファン等を使用する。また、ヒートポンプ装置を用い、その蒸発器を除湿手段１０とし、その凝縮器を加熱手段１１としてもよい。回転ドラム３は、例えば、４７ｒｐｍ等の所定の回転数で正転および逆転を略同等時間ずつ繰り返す回転シーケンスで回転して乾燥をおこなうのが一般的であるが、これ以外の回転形態でも良好な衣類シワの低減効果が得られる。例えば、回転ドラム３に衣類を投入してその外周最下部を起点と設定し、この設定起点が外周最下部から左右に各々３０〜６０度
移動する正回転と逆回転が多数繰り返されるクイック回転シーケンスでも、優れた衣類シワの低減効果を得ることができる。
【００２９】
なお、吹出口６は、先端部を細くしたノズル（図示せず）を取り付け、空気の吐出風速を高める構成としてもよい。また、排気口７は、水槽２の周面前方の上部に配設しているが、吹出口６とともに洗濯水や乾燥用空気が浸入しない位置であれば、図面に記載の場所に限定されることはなく、効率的に乾燥がおこなわれて乾燥時間が短縮するとともに衣類シワが低減する位置に配設することができる。
【００３０】
また、吹出穴１２は、環状に連続して設けてもよく、この場合は、乾燥用空気が吹出穴１２間で途切れることなく、また、風量が変化することなく回転ドラム３の下方１４部分へ効果的に送風することができる。
【００３１】
（実施の形態２）
図６は、第２の実施の形態の洗濯乾燥機を背面から見た斜視図である。本実施の形態の特徴は、吹出口６へ送風する循環風路８の出口部分、すなわち、吹出口６の近傍に導入部２０を設け、この導入部２０を、吹出口６を通過する乾燥用空気の送風方向と同方向に形成したことである。他の構成は第１の実施の形態と同様であり、同一の構成要素については同一の符号を付して、その詳細な説明は第１の実施の形態のものを援用する。
【００３２】
上記構成によれば、吹出穴１２を通過する乾燥用空気の送風方向と同じ方向へ循環風路８から吹出口６へ送風することができ、吹出穴１２を通過する乾燥用空気を回転ドラム３の下方１４部分へ効果的に送風することができ、乾燥効果を高めることができる。
【産業上の利用可能性】
【００３３】
以上のように、本発明にかかる洗濯乾燥機は、衣類の乾燥効果を高めて乾燥に要する時間の短縮と衣類のシワ固着を低減することができるので、衣類乾燥機および洗濯乾燥機として有用である。
【図面の簡単な説明】
【００３４】
【図１】本発明の実施の形態１の洗濯乾燥機の断面図
【図２】同洗濯乾燥機の要部正面図
【図３】同洗濯乾燥機の要部断面図
【図４】同洗濯乾燥機の要部拡大断面図
【図５】同洗濯乾燥機の要部拡大断面図
【図６】本発明の実施の形態２の洗濯乾燥機の一部切欠背面斜視図
【図７】従来の洗濯乾燥機の断面図
【符号の説明】
【００３５】
１  筐体
２  水槽
３  回転ドラム
５  ドラム駆動モータ
６  吹出口
７  排気口
８  循環風路
９  送風機
１０  除湿手段
１１  加熱手段
１２  吹出穴
１３  バックフィルタ
１８  入口部
１９  出口部
２０  導入部
【図１】
2010187962.tif 000003
【図２】
2010187962.tif 000004
【図３】
2010187962.tif 000005
【図４】
2010187962.tif 000006
【図５】
2010187962.tif 000007
【図６】
2010187962.tif 000008
【図７】
2010187962.tif 000009